(57)【要約】      （修正有）【課題】予め決められた工程順で複数のメンテナンス処理が行われたか否かについて個別に管理することができる診療器具、処理装置、診療装置、および管理システムを提供する。【解決手段】複数の処理装置それぞれのメンテナンス処理が行われることでメンテナンスされる診療器具は、本体部と、本体部に取り付けられたＲＦＩＤタグ４０とを備え、ＲＦＩＤタグ４０は、複数の処理装置それぞれが備えるリーダライタと通信可能な通信部４１と、情報を記憶する記憶部４４と、通信部４１による通信結果に基づき記憶部４４に記憶された情報を更新する制御部４２とを含み、記憶部４４によって記憶される情報には、複数の処理装置それぞれによってメンテナンス処理が行われたか否かを特定可能な管理フラグが含まれ、管理フラグは、予め決められた工程順で複数の処理装置それぞれによってメンテナンス処理が行われたか否かを特定可能な態様で、記憶部４４に記憶される。【選択図】図４
2019216997.tif 000002
【特許請求の範囲】
【請求項１】
複数の処理装置のそれぞれによってメンテナンス処理が行われることでメンテナンスされる診療器具であって、
本体部と、
前記本体部に取り付けられたＲＦＩＤタグとを備え、
前記ＲＦＩＤタグは、
前記複数の処理装置のそれぞれが備えるリーダライタと通信可能な通信部と、
情報を記憶する記憶部と、
前記通信部による通信結果に基づき前記記憶部に記憶された情報を更新する制御部とを含み、
前記記憶部によって記憶される情報には、前記複数の処理装置のそれぞれによって前記メンテナンス処理が行われたか否かを特定可能な特定情報が含まれ、
前記特定情報は、予め決められた工程順で前記複数の処理装置のそれぞれによって前記メンテナンス処理が行われたか否かを特定可能な態様で、前記記憶部に記憶されている、診療器具。
【請求項２】
前記特定情報は、前記複数の処理装置のそれぞれによって前記メンテナンス処理が行われたか否かを特定可能なフラグである、請求項１項に記載の診療器具。
【請求項３】
前記特定情報は、前記複数の処理装置のそれぞれによって前記メンテナンス処理が行われた時間を特定可能な情報である、請求項１または請求項２に記載の診療器具。
【請求項４】
前記ＲＦＩＤタグは、前記特定情報に基づき報知を行う報知部を含む、請求項１〜請求項３のいずれか１項に記載の診療器具。
【請求項５】
前記通信部は、前記診療器具を駆動するための診療装置が備えるリーダライタと通信可能であり、
前記報知部は、前記通信部と前記診療装置との通信によって給電される、請求項４に記載の診療器具。
【請求項６】
前記通信部は、電磁結合するためのコイルを含み、
前記報知部は、前記通信部と前記診療装置との通信による電磁結合によって給電される、請求項５に記載の診療器具。
【請求項７】
前記ＲＦＩＤタグは、パッシブ型のＲＦＩＣチップを含むタグである、請求項１〜請求項６のいずれか１項に記載の診療器具。
【請求項８】
前記記憶部に記憶された前記特定情報は、診療装置による前記診療器具の駆動または保持を条件に初期化される、請求項１〜請求項７のいずれか１項に記載の診療器具。
【請求項９】
前記記憶部によって記憶される情報には、前記診療器具の識別番号、前記診療器具の使用期間を特定可能な情報、前記複数の処理装置の少なくともいずれかによる処理回数、患者に関する情報、および術者に関する情報のうちの少なくともいずれかが含まれる、請求項１〜請求項８のいずれか１項に記載の診療器具。
【請求項１０】
前記複数の処理装置は、前記診療器具を洗浄する装置、前記診療器具を給油する装置、および前記診療器具を滅菌する装置の少なくともいずれかである、請求項１〜請求項９のいずれか１項に記載の診療器具。
【請求項１１】
請求項１〜請求項１０のいずれか１項に記載の前記診療器具が備える前記ＲＦＩＤタグと通信可能なリーダライタと、
前記リーダライタによって読み取られた前記記憶部に記憶された前記特定情報に基づき、予め決められた工程順で前記診療器具に対して前記メンテナンス処理が行われていないと判断した場合に、処理装置側制御を行う処理装置側制御部とを備える、処理装置。
【請求項１２】
前記処理装置側制御は、警告を発する制御である、請求項１１に記載の処理装置。
【請求項１３】
前記処理装置側制御は、前記メンテナンス処理の実行を禁止する制御である、請求項１１または請求項１２に記載の処理装置。
【請求項１４】
請求項１〜請求項１０のいずれか１項に記載の前記診療器具が備える前記ＲＦＩＤタグと通信可能なリーダライタと、
前記リーダライタによって読み取られた前記記憶部に記憶された前記特定情報に基づき、予め決められた工程順で前記診療器具に対して前記メンテナンス処理が行われていないと判断した場合に、診療装置側制御を行う診療装置側制御部とを備える、診療装置。
【請求項１５】
前記診療装置側制御は、警告を発する制御である、請求項１４に記載の診療装置。
【請求項１６】
前記診療装置は、画像を表示する表示部を備え、
前記診療装置側制御は、前記表示部に前記警告を示す画像を表示する制御である、請求項１５に記載の診療装置。
【請求項１７】
前記診療装置は、前記診療器具を保持する保持部を備え、
前記診療装置側制御は、前記保持部に設けられた報知部によって前記警告を発する制御である、請求項１４〜請求項１６のいずれか１項に記載の診療装置。
【請求項１８】
前記診療装置側制御は、前記診療器具の駆動を禁止する制御である、請求項１４〜請求項１７のいずれか１項に記載の診療装置。
【請求項１９】
複数の処理装置のそれぞれによってメンテナンス処理が行われることで診療器具のメンテナンスを管理する管理システムであって、
前記複数の処理装置と、
前記診療器具とを備え、
前記診療器具は、
本体部と、
前記本体部に取り付けられたＲＦＩＤタグとを含み、
前記複数の処理装置のそれぞれは、前記ＲＦＩＤタグと通信可能なリーダライタを含み、
前記ＲＦＩＤタグは、
前記複数の処理装置のそれぞれが備える前記リーダライタと通信可能な通信部と、
情報を記憶する記憶部と、
前記通信部による通信結果に基づき前記記憶部に記憶された情報を更新する制御部とを含み、
前記記憶部によって記憶される情報には、前記複数の処理装置のそれぞれによって前記メンテナンス処理が行われたか否かを特定可能な特定情報が含まれ、
前記特定情報は、予め決められた工程順で前記複数の処理装置のそれぞれによって前記メンテナンス処理が行われたか否かを特定可能な態様で、前記記憶部に記憶されている、管理システム。
【発明の詳細な説明】
【技術分野】
【０００１】
本発明は、診療器具、処理装置、診療装置、および管理システムに関する。
【背景技術】
【０００２】
医療や歯科に使用される診療器具は、使用時に患者に接触することで様々な細菌やウィルスなどによって汚染される可能性がある。このため、使用後の診療器具に対しては、次の患者に使用する前に給油、洗浄、および滅菌などの処理（以下、「メンテナンス処理」とも称する）を施す必要がある。しかし、医院においては、多種多様な診療器具が使用され、また、同種の診療器具が複数使用される場合もあり、滅菌などのメンテナンス処理が行われたか否かについて、診療器具ごとに識別しながら管理することが望まれている。
【０００３】
特許文献１には、ハンドピースにＲＦＩＤ（Radio Frequency IDentification）タグを取り付けることによって、滅菌処理が行われたか否かを判定可能に構成された医療用診療装置が開示されている。特許文献１の医療用診療装置では、ハンドピースに対して滅菌処理が行われたか否かを判定することで、滅菌処理が未だ行われていないハンドピースの使用を禁止することができる。
【先行技術文献】
【特許文献】
【０００４】
【特許文献１】特開２０１７−１１３２５６号公報
【発明の概要】
【発明が解決しようとする課題】
【０００５】
使用後の診療器具に対しては、滅菌の他に洗浄および給油などの他のメンテナンス処理を施す必要がある。さらに、衛生上の観点から、これら複数のメンテナンス処理は予め決められた工程順で行われなければならない。しかし、複数のメンテナンス処理を予め決められた工程順で行うことを術者頼りにしてしまうと、人為的ミスなどによって、一部のメンテナンス処理がスキップされたり、同じメンテナンス処理が重複して行われたりといったことが起こり得る。特許文献１の診療装置では、予め決められた工程順で複数のメンテナンス処理が行われたか否かについてまで管理することができず、さらなる改善の余地があった。
【０００６】
本発明は、これらの問題点を解決するためになされたものであり、予め決められた工程順で複数のメンテナンス処理が行われたか否かについて個別に管理することができる診療器具、処理装置、診療装置、および管理システムを提供することを目的とする。
【課題を解決するための手段】
【０００７】
本発明に係る診療器具は、複数の処理装置のそれぞれによってメンテナンス処理が行われることでメンテナンスされる診療器具であって、本体部と、本体部に取り付けられたＲＦＩＤタグとを備え、ＲＦＩＤタグは、複数の処理装置のそれぞれが備えるリーダライタと通信可能な通信部と、情報を記憶する記憶部と、通信部による通信結果に基づき記憶部に記憶された情報を更新する制御部とを含み、記憶部によって記憶される情報には、複数の処理装置のそれぞれによってメンテナンス処理が行われたか否かを特定可能な特定情報が含まれ、特定情報は、予め決められた工程順で複数の処理装置のそれぞれによってメンテナンス処理が行われたか否かを特定可能な態様で、記憶部に記憶されている。
【０００８】
本発明に係る処理装置は、上述した診療器具が備えるＲＦＩＤタグと通信可能なリーダライタと、リーダライタによって読み取られた記憶部に記憶された特定情報に基づき、予め決められた工程順で診療器具に対してメンテナンス処理が行われていないと判断した場合に、処理装置側制御を行う処理装置側制御部とを備える。
【０００９】
本発明に係る診療装置は、上述した診療器具が備えるＲＦＩＤタグと通信可能なリーダライタと、リーダライタによって読み取られた記憶部に記憶された特定情報に基づき、予め決められた工程順で診療器具に対してメンテナンス処理が行われていないと判断した場合に、診療装置側制御を行う処理装置側制御部とを備える。
【００１０】
本発明に係る管理システムは、複数の処理装置のそれぞれによってメンテナンス処理が行われることで診療器具のメンテナンスを管理する管理システムであって、複数の処理装置と、診療器具とを備え、診療器具は、本体部と、本体部に取り付けられたＲＦＩＤタグとを含み、複数の処理装置のそれぞれは、ＲＦＩＤタグと通信可能なリーダライタを含み、ＲＦＩＤタグは、複数の処理装置のそれぞれが備えるリーダライタと通信可能な通信部と、情報を記憶する記憶部と、通信部による通信結果に基づき記憶部に記憶された情報を更新する制御部とを含み、記憶部によって記憶される情報には、複数の処理装置のそれぞれによってメンテナンス処理が行われたか否かを特定可能な特定情報が含まれ、特定情報は、予め決められた工程順で複数の処理装置のそれぞれによってメンテナンス処理が行われたか否かを特定可能な態様で、記憶部に記憶されている。
【発明の効果】
【００１１】
本発明に係る診療器具、処理装置、診療装置、および管理システムのそれぞれは、診療器具に取り付けられたＲＦＩＤタグに記憶された特定情報に基づいて、予め決められた工程順で複数のメンテナンス処理が行われたか否かについて診療器具を個別に管理することができる。
【図面の簡単な説明】
【００１２】
【図１】本実施の形態に係る管理システムの構成を説明するための概略図である。
【図２】本実施の形態に係る診療装置の外観構成を説明するための概略図である。
【図３】本実施の形態に係る診療装置の内部構成を説明するためのブロック図である。
【図４】本実施の形態に係るＲＦＩＤタグの内部構成を説明するためのブロック図である。
【図５】本実施の形態に係る診療装置が実行する処理を説明するためのフローチャートである。
【図６】本実施の形態に係る各メンテナンス処理装置が実行するメンテナンス処理を説明するためのフローチャートである。
【図７】本実施の形態に係るコンピュータが記憶する管理テーブルを説明するための概略図である。
【図８】変形例に係る診療装置が実行する処理を説明するためのフローチャートである。
【発明を実施するための形態】
【００１３】
本実施の形態について、図面を参照しながら説明する。本実施の形態においては、診療器具および診療装置の１つの例示的形態として、歯科診療に用いることが可能な診療器具および診療装置について説明する。なお、診療器具および診療装置に対しては、歯科に限らず、眼科、耳鼻咽喉科、放射線科、および獣医科など、あらゆる医科の診療にも適用することが可能である。また、診療には、診断および治療が含まれる。
【００１４】
[管理システムの概要]
図１は、本実施の形態に係る管理システム１０００の構成を説明するための概略図である。本実施の形態においては、歯科用診療装置１０（以下、単に「診療装置１０」と称する）に医療用ハンドピースなどの診療器具４を取り付けることで、術者が歯科診療を行うことができる。
【００１５】
診療器具４は、使用時に患者に接触することで様々な細菌やウィルスなどによって汚染される可能性がある。このため、使用後の診療器具４のメンテナンスにおいては、次の患者に使用する前に滅菌などのメンテナンス処理を診療器具４に施す必要がある。本実施の形態においては、メンテナンス処理時の工程として、洗浄装置６０によって診療器具４を洗浄するメンテナンス処理を行うための洗浄工程と、給油装置７０によって診療器具４を給油するメンテナンス処理を行うための給油工程と、滅菌装置８０によって診療器具４を滅菌するメンテナンス処理を行うための滅菌工程とが設けられている。なお、洗浄装置６０、給油装置７０、および滅菌装置８０は、「処理装置」の一実施形態であり、以下では、これらをまとめて「メンテナンス処理装置」とも称する。なお、本実施の形態における滅菌装置８０は、高温蒸気滅菌(オートクレーブ)を行うものであるが、他の滅菌処理を行うものであってもよい。
【００１６】
一般的に、衛生上の観点から、診療器具４のメンテナンスにおいては、各メンテナンス処理が行われる順番が予め決められている。本実施の形態においては、最初に洗浄装置６０による洗浄工程、次に給油装置７０による給油工程、最後に滅菌装置８０による滅菌工程といったように、予め決められた工程順で各メンテナンス処理が行われる。このように、予め決められた工程順でメンテナンス処理が行われることで、メンテナンス処理後の診療器具４を安全に次の患者に使用することができる。特に滅菌は、洗浄または給油によっても診療器具４に菌が付着する虞があるため、他の全てのメンテナンス処理が完了した最後のメンテナンス処理として行われる必要がある。
【００１７】
しかし、複数のメンテナンス処理を予め決められた工程順で行うことを術者頼りにしてしまうと、人為的ミスなどによって、一部のメンテナンス処理がスキップされたり、同じメンテナンス処理が重複して行われたりといったことが起こり得る。そこで、本実施の形態においては、診療器具４に取り付けられたＲＦＩＤタグ４０を用いることで、予め決められた工程順で複数のメンテナンス処理が行われたか否かについて診療器具４ごとに管理するようになっている。なお、診療器具４のメンテナンスにおいて、予め決められた工程順で複数のメンテナンス処理が行われないようなエラーを、「メンテナンスエラー」とも称する。以下、本実施の形態における診療器具４のメンテナンスについて説明する。
【００１８】
図１に示すように、複数のメンテナンス処理装置のそれぞれによってメンテナンス処理が行われることで診療器具４のメンテナンスを管理する管理システム１０００は、洗浄装置６０、給油装置７０、および滅菌装置８０を含む複数のメンテナンス処理装置と、診療器具４とを備える。
【００１９】
診療器具４は、診療装置１０への取り付け、および診療装置１０からの取り外しが可能である。診療器具４の本体部４８には、ＲＦＩＤタグ４０が取り付けられている。本実施の形態に係るＲＦＩＤタグ４０は、診療器具４の本体部４８に取付け可能な弾性バンド式のＩＣタグである。なお、ＲＦＩＤタグ４０は、弾性バンド式に限らず、診療器具４の本体部４８に埋め込まれるような埋め込み式のＩＣタグであってもよい。
【００２０】
ＲＦＩＤタグ４０には、後述するＲＦＩＣ（Radio Frequency Integrated Circuit）チップ４５が内蔵されている。ＲＦＩＣチップ４５は、診療器具４を識別するための識別番号などの各種情報を記憶することが可能である。ＲＦＩＣチップ４５は、電磁界や電波などを用いた近距離（周波数帯によって数ｍｍ〜数ｍ）の無線通信によって、情報の読み書きを行うことができる。なお、本実施の形態に係るＲＦＩＣチップ４５は、パッシブ型であり、読み取り装置（後述するリーダライタ）から発信される電波をエネルギー源として動作可能である。このため、ＲＦＩＤタグ４０に電池を内蔵する必要がない。なお、ＲＦＩＣチップ４５は、パッシブ型に限らず、ＲＦＩＤタグ４０に内蔵された電池からの電力をエネルギー源として動作するアクティブ型でもよい。
【００２１】
日本国内においてＲＦＩＤタグ４０に使用できる周波数帯は、ＨＦ帯（１３．５６ＭＨｚ）およびＵＨＦ帯（９１５ＭＨｚ〜９３０ＭＨｚ，いわゆる９２０ＭＨｚ帯）の２種類である。ＨＦ帯は、非接触ＩＣカードなどでも広く使用されており、極近距離でＲＦＩＤタグ４０の読み取りが可能である。一方、ＵＨＦ帯は、ＨＦ帯よりも電波の回り込みを期待でき、ＨＦ帯よりも遠い距離でもＲＦＩＤタグ４０の読み取りが可能である。なお、欧州においては、８６０ＭＨｚ帯の周波数をＲＦＩＤタグ４０に使用できる。ＲＦＩＤタグ４０に使用できる周波数帯は、上記の周波数帯に限らず、国や規制により変更されることがある。
【００２２】
洗浄装置６０は、処理部６１を含む。洗浄装置６０の処理部６１は、チャンバ内に設置された診療器具４に対して、洗浄、すすぎ、消毒、および乾燥などのメンテナンス処理を施すことで、診療器具４に付着した汚れを取り除く。
【００２３】
洗浄装置６０には、診療器具４に取り付けられたＲＦＩＤタグ４０と通信可能なリーダライタ６０ａが取り付けられている。洗浄装置６０の処理部６１は、リーダライタ６０ａによって電磁気的に読み取られたＲＦＩＤタグ４０に記憶された情報に基づき、診療器具４に対して洗浄などのメンテナンス処理を行う。
【００２４】
給油装置７０は、処理部７１を含む。給油装置７０の処理部７１は、チャンバ内に設置された診療器具４に対して、給油などのメンテナンス処理を施すことで、診療器具４に潤滑油となるオイルを補充する。
【００２５】
給油装置７０には、診療器具４に取り付けられたＲＦＩＤタグ４０と通信可能なリーダライタ７０ａが取り付けられている。給油装置７０の処理部７１は、リーダライタ７０ａによって読み取られたＲＦＩＤタグ４０に記憶された情報に基づき、診療器具４に対して給油などのメンテナンス処理を行う。
【００２６】
また、給油装置７０は、処理装置側制御部７５として、警告制御部７２と禁止制御部７３とを含む。
【００２７】
警告制御部７２は、給油装置７０に設けられた図示しないＬＥＤ（Light Emitting Diode）などのランプを点灯させたり、給油装置７０に設けられた図示しないスピーカから音を出力させたりすることで、警告を発生させる制御を行う。なお、警告制御部７２は、ランプおよびスピーカに限らず、図示しない表示画面に警告画像を表示するなど、その他の手段を用いて警告を発生するものであってもよい。本実施の形態においては、警告制御部７２は、リーダライタ７０ａによって読み取られたＲＦＩＤタグ４０に記憶された情報に基づき、給油の前工程である洗浄が行われていないと判断した場合に、警告を発生する。このように、警告制御部７２は、洗浄工程をスキップして給油工程が行われるといったメンテナンスエラーが生じた場合に、ランプやスピーカを用いて警告を発生させる制御を行う。
【００２８】
禁止制御部７３は、給油工程において、診療器具４に対する給油などのメンテナンス処理を禁止する制御を行う。本実施の形態においては、禁止制御部７３は、リーダライタ７０ａによって読み取られたＲＦＩＤタグ４０に記憶された情報に基づき、給油の前工程である洗浄が行われていないと判断した場合に、給油などのメンテナンス処理を禁止する制御を行う。このように、禁止制御部７３は、洗浄工程をスキップして給油工程が行われるといったメンテナンスエラーが生じた場合に、給油工程における給油を禁止する制御を行う。
【００２９】
滅菌装置８０は、処理部８１を含む。たとえば、滅菌装置８０がオートクレーブ滅菌装置の場合、滅菌装置８０の処理部８１は、チャンバ内に設置された診療器具４に対して、高温高圧の飽和水蒸気による滅菌処理（オートクレーブ）を行うことで、診療器具４に付着した被滅菌物を滅菌する。
【００３０】
滅菌装置８０には、診療器具４に取り付けられたＲＦＩＤタグ４０と通信可能なリーダライタ８０ａが取り付けられている。滅菌装置８０の処理部８１は、リーダライタ８０ａによって読み取られたＲＦＩＤタグ４０に記憶された情報に基づき、診療器具４に対して滅菌などのメンテナンス処理を行う。
【００３１】
また、滅菌装置８０は、処理装置側制御部８５として、警告制御部８２と禁止制御部８３とを含む。
【００３２】
警告制御部８２は、滅菌装置８０に設けられた図示しないＬＥＤなどのランプを点灯させたり、滅菌装置８０に設けられた図示しないスピーカから音を出力させたりすることで、警告を発生させる制御を行う。なお、警告制御部８２は、ランプおよびスピーカに限らず、図示しない表示画面に警告画像を表示するなど、その他の手段を用いて警告を発生するものであってもよい。本実施の形態においては、警告制御部８２は、リーダライタ８０ａによって読み取られたＲＦＩＤタグ４０に記憶された情報に基づき、滅菌の前工程である洗浄および給油の少なくともいずれかが行われていないと判断した場合に、警告を発生する。このように、警告制御部８２は、洗浄工程や給油工程をスキップして滅菌工程が行われるといったメンテナンスエラーが生じた場合に、ランプやスピーカを用いて警告を発生させる制御を行う。
【００３３】
禁止制御部８３は、滅菌工程において、診療器具４に対する滅菌などのメンテナンス処理を禁止する制御を行う。本実施の形態においては、禁止制御部８３は、リーダライタ８０ａによって読み取られたＲＦＩＤタグ４０に記憶された情報に基づき、滅菌の前工程である洗浄および給油の少なくともいずれかが行われていないと判断した場合に、滅菌などのメンテナンス処理を禁止する制御を行う。このように、禁止制御部８３は、洗浄工程や給油工程をスキップして滅菌工程が行われるといったメンテナンスエラーが生じた場合に、滅菌工程における滅菌を禁止する制御を行う。
【００３４】
なお、診療器具４のメンテナンスにおいては、洗浄、給油、および滅菌に限らず、他のメンテナンス処理が診療器具４に施されてもよい。たとえば、洗浄と給油との間に、消毒などのメンテナンス処理が診療器具４に施されてもよい。
【００３５】
[診療装置の構成]
図２は、本実施の形態に係る診療装置１０の外観構成を説明するための概略図である。図３は、本実施の形態に係る診療装置１０の内部構成を説明するためのブロック図である。
【００３６】
図２および図３に示すように、診療装置１０は、歯科用診療装置であり、診療椅子１と、フートコントローラ５と、トレーテーブル３と、制御装置９と、インスツルメントホルダ５０と、操作パネル８と、表示モニタ６と、ベースンユニット２と、照明装置（無影灯）７とを備える。
【００３７】
診療椅子１は、患者の頭を支えるヘッドレスト１ａと、患者の背中を支える背もたれ１ｂと、患者のでん部を支える座面シート１ｃと、患者の足を支える足置き台１ｄと、シート駆動部１１とを備える。
【００３８】
シート駆動部１１は、チェア制御基板上に実装されたＣＰＵ（Central Processing Unit）、ＲＯＭ（Read Only Memory）、およびＲＡＭ（Random Access Memory）などによって構成され、ヘッドレスト１ａ、背もたれ１ｂ、座面シート１ｃ、および足置き台１ｄのそれぞれの駆動を制御する。
【００３９】
座面シート１ｃは、シート駆動部１１の動作に基づき上昇または下降する。ヘッドレスト１ａ、背もたれ１ｂ、および足置き台１ｄのそれぞれは、シート駆動部１１の動作に基づき座面シート１ｃに対して垂直方向または水平方向に移動する。ヘッドレスト１ａ、背もたれ１ｂ、および足置き台１ｄが座面シート１ｃに対して垂直方向に位置すると、診療椅子１に座った患者が座位姿勢になる。ヘッドレスト１ａ、背もたれ１ｂ、および足置き台１ｄが座面シート１ｃに対して水平方向に位置すると、診療椅子１に座った患者が仰向け姿勢になる。このように、シート駆動部１１は、ヘッドレスト１ａ、背もたれ１ｂ、座面シート１ｃ、および足置き台１ｄを駆動させて診療椅子１の姿勢を変更する。
【００４０】
なお、ヘッドレスト１ａ、背もたれ１ｂ、座面シート１ｃ、および足置き台１ｄは、それぞれ専用のシート駆動部１１によって駆動されるものに限らず、１または複数のシート駆動部１１を兼用してもよい。また、ヘッドレスト１ａは手動としてもよいし、足置き台１ｄを用いない構成としてもよい。
【００４１】
フートコントローラ５は、ユーザの足踏操作を受け付ける複数のスイッチ（ペダル）を有する。ユーザは、これら複数のスイッチそれぞれに対して所定の機能を割り当てることができる。
【００４２】
ユーザは、診療椅子１の姿勢を変更する機能をフートコントローラ５のスイッチに対して割り当てることができる。ユーザが、診療椅子１の姿勢を変更する機能が割り当てられたスイッチを足踏操作すると、フートコントローラ５は、シート駆動部１１に制御信号を出力する。シート駆動部１１は、その制御信号に基づき、ヘッドレスト１ａなどを駆動させる。
【００４３】
ユーザは、診療器具４を駆動する機能をフートコントローラ５のスイッチに対して割り当てることができる。ユーザが、診療器具４を駆動する機能が割り当てられたスイッチを足踏操作すると、フートコントローラ５は、後述する診療器具駆動部１４に制御信号を出力する。診療器具駆動部１４は、制御信号に基づき診療器具４の駆動を制御する。
【００４４】
なお、フートコントローラ５のスイッチには、照明装置７の照明および消灯を制御する機能など、その他の機能を割り当てることもできる。
【００４５】
トレーテーブル３は、診療時の物置台として用いられる。トレーテーブル３は、診療椅子１または床から延びるアーム（図示は省略する）に接続されている。このため、ユーザは、トレーテーブル３を診療椅子１に対して手動で回動、水平移動、および垂直移動させることが可能である。
【００４６】
制御装置９は、トレーテーブル３の下部に設けられている。制御装置９には、診療椅子１と、複数の診療器具４と、インスツルメントホルダ５０と、操作パネル８と、表示モニタ６と、リーダライタ１０ａと、ベースンユニット２とが接続されている。制御装置９は、診療装置側制御部１２と、診療器具駆動部１４と、表示モニタ制御部１５と、取出検出部１９とを備える。これらの各部は、それぞれ、診療装置側基板、駆動制御基板、モニタ制御基板、および取出検出基板上に実装されたＣＰＵ、ＲＯＭ、およびＲＡＭなどによって構成される。
【００４７】
診療器具４は、たとえば、エアータービンハンドピース、マイクロモータハンドピース、スケーラ、スリーウェイシリンジ、およびバキュームシリンジなどの歯科診療用のインスツルメントである。なお、診療器具４は、これらに限らず、口腔内カメラ、光重合用照射器、根管長測定器、３次元スキャナ、および根管拡大器などであってもよいし、デンタルミラー、注射器、および充填器具など、駆動しない器具であってもよい。
【００４８】
診療装置１０においては、診療器具４ａ〜４ｅの５種類が用いられる。たとえば、診療器具４ａおよび診療器具４ｂは、エアータービンハンドピースである。診療器具４ｃは、マイクロモータハンドピースである。診療器具４ｄは、スケーラである。診療器具４ｅは、スリーウェイシリンジである。
【００４９】
各診療器具４は、インスツルメントホルダ５０によって保持される。診療器具４がインスツルメントホルダ５０から取り出されると、インスツルメントホルダ５０からの診療器具４の取出しが検出され、診療器具４が選択された状態（被選択状態）になる。
【００５０】
各診療器具４は、制御装置９が備える診療器具駆動部１４に接続されている。診療器具駆動部１４は、フートコントローラ５に対するユーザの足踏操作に基づきインスツルメントホルダ５０からの取出しが検出された診療器具４を駆動する。たとえば、ユーザが、フートコントローラ５におけるエアータービンハンドピースを駆動するためのスイッチを足踏操作すると、診療器具駆動部１４は、エアータービンハンドピースのヘッド部に保持される切削工具を回転させる。このように、診療器具駆動部１４は、フートコントローラ５に対するユーザの操作に基づき診療器具４を駆動する。なお、各診療器具４には、本体部４８にＲＦＩＤタグ４０が取り付けられている。
【００５１】
インスツルメントホルダ５０は、各診療器具４を保持する保持部である。インスツルメントホルダ５０は、制御装置９が備える取出検出部１９を介して診療装置側制御部１２に接続されている。取出検出部１９は、インスツルメントホルダ５０からの診療器具４の取出しを検出するとともに、その検出結果を示す信号を診療装置側制御部１２に出力する。診療装置側制御部１２は、取出検出部１９からの信号に基づき被選択状態の診療器具４を特定する。フートコントローラ５の操作によって、取り上げられた診療器具４に対して駆動信号が与えられることで、診療器具４が駆動する。
【００５２】
インスツルメントホルダ５０には、報知部５０ａが設けられている。報知部５０ａは、ＬＥＤなどのランプであってもよいし、スピーカであってもよい。報知部５０ａがランプである場合、報知部５０ａは、メンテナンスエラーが生じた場合に、診療装置側制御部１２による制御に基づき警告を示す点灯色で点灯または点滅する。また、報知部５０ａがスピーカである場合、報知部５０ａは、メンテナンスエラーが生じた場合に、診療装置側制御部１２による制御に基づき警告を示す警告音を出力する。なお、報知部５０ａの代わりに、表示モニタ６や操作パネル８に警告画像が表示されてもよい。
【００５３】
操作パネル８は、診療椅子１の姿勢を手動で操作する操作スイッチおよび診療器具４の制御を変更するための操作スイッチなど、各種の機能を設定するための複数のスイッチを点灯させる。ユーザは、操作パネル８において点灯しているスイッチを押圧操作することにより、押圧操作したスイッチに対応する機能を診療装置１０に発揮させることができる。
【００５４】
表示モニタ６は、トレーテーブル３から上方に延びるアームに設けられている。表示モニタ６は、表示モニタ制御部１５を介して診療装置側制御部１２に接続されている。表示モニタ制御部１５は、診療装置側制御部１２からの指令に基づき、予め撮影された患者の口腔内画像やＸ線画像、および操作画像に関連した関連画像などを表示モニタ６に表示させる。さらに、本実施の形態においては、表示モニタ６は、メンテナンスエラーが生じた場合に、診療装置側制御部１２による制御に基づき警告を示す警告画像を表示する。
【００５５】
なお、図２において、リーダライタ１０ａは、トレーテーブル３の下部に離れて設けられているが、トレーテーブル３の内部に設けられてもよく、あるいは、インスツルメントホルダ５０、診療椅子１のヘッドレスト１ａ、および背もたれ１ｂの側面などに設けられてもよい。リーダライタ１０ａがこれらの位置に設けられている場合、術者は、診療椅子１に患者を座らせて治療する際に、手指を移動させられる範囲内で診療器具４に取り付けられたＲＦＩＤタグ４０をリーダライタ１０ａに容易に読み取らせることができる。なお、リーダライタ１０ａが設けられる位置は、術者が患者を治療する際に、診療器具４に取り付けられたＲＦＩＤタグ４０をリーダライタ１０ａに読み取らせることが容易な手の届く範囲内であればいずれの位置であってもよい。
【００５６】
ベースンユニット２は、診療椅子１の側部に備え付けられている。ベースンユニット２は、排水口が形成された鉢２ａと、コップが載置されるコップ台２ｂと、コップに給水するための給水栓２ｃとを備える。患者は、給水栓２ｃによってコップに給水された水を用いてうがいをすることができる。
【００５７】
ベースンユニット２は、ベースン制御部１６を備える。ベースン制御部１６は、診療装置１０で用いられる水の流れを制御する。ベースン制御部１６は、図示しないベースン制御基板上に実装されたＣＰＵ、ＲＯＭ、およびＲＡＭなどによって構成される。
【００５８】
ベースンユニット２は、照明制御部１７を備える。照明制御部１７は、照明装置７の照明および消灯を制御する。照明制御部１７は、図示しない照明制御基板上に実装されたＣＰＵ、ＲＯＭ、およびＲＡＭなどによって構成される。
【００５９】
ベースンユニット２は、診療装置１０内の情報を収集する情報収集部１８を備える。情報収集部１８は、リーダライタ１０ａによって読み取られたＲＦＩＤタグ４０に記憶されている識別番号およびメンテナンス情報などの情報を収集することができる。情報収集部１８は、図示しない情報収集基板上に実装されたＣＰＵ、ＲＯＭ、およびＲＡＭなどによって構成され、ベースンユニット２の保守扉２ｄの内側に設けられている。このため、所定の工具を用いて保守扉２ｄを開けなければ、ＲＯＭやＲＡＭなどのメモリ１８ｂを情報収集基板から取り外すことができない。
【００６０】
情報収集基板には、コンピュータ１００に対して収集した情報を出力するための出力ポート１８ａが設けられている。保守作業者は、保守扉２ｄを開け、出力ポート１８ａにコンピュータ１００からの配線を接続することで、収集した情報を取り出すことができる。もちろん、出力ポート１８ａを介してコンピュータ１００と診療装置１０の情報収集部１８とが常に接続される構成でもよい。
【００６１】
情報収集部１８が収集した情報は、情報収集基板から着脱可能なメモリ１８ｂに記憶される。メモリ１８ｂは、メモリカードなどの不揮発メモリで構成された記憶媒体である。保守作業者は、保守扉２ｄを開けて情報収集基板からメモリ１８ｂを取り外すことができる。このため、保守作業者は、出力ポート１８ａにコンピュータ１００からの配線を接続することなく、情報収集基板からメモリ１８ｂを取り外してコンピュータ１００に接続することで、収集した情報を取得することができる。保守作業者は、情報収集部１８が収集した診療器具４の識別番号およびメンテナンス情報などをコンピュータ１００で分析することで、診療器具４の滅菌処理の有無、消耗品の交換時期などのメンテナンスについて容易に管理することが可能となる。
【００６２】
なお、情報収集基板に出力ポート１８ａが設けられていない構成であってもよい。情報収集基板に出力ポート１８ａが設けられていない場合、コンピュータ１００は、メモリ１８ｂに直接的にアクセスして、診療装置１０から情報を取得する。また、コンピュータ１００と診療装置１０との接続は、出力ポート１８ａを介して有線で接続されるものに限らず、無線で接続されてもよい。また、ベースンユニット２に診療装置１０内の情報を収集する情報収集部１８を備えていると説明したが、制御装置９などベースンユニット２以外に情報収集部１８を備えてもよく、ベースンユニット２以外に設けた情報収集部１８にコンピュータ１００が接続されてもよい。
【００６３】
コンピュータ１００は、ネットワーク回線を介して、クラウド上のサーバ２００と通信可能である。コンピュータ１００がクラウド上のサーバと通信することで、メンテナンス情報の共有および消耗品の発注などが容易になる。
【００６４】
[ＲＦＩＤタグの構成]
図４は、本実施の形態に係るＲＦＩＤタグ４０の内部構成を説明するためのブロック図である。パッシブ型のＲＦＩＤタグ４０は、ＲＦＩＣチップ４５を備える。ＲＦＩＣチップ４５は、通信部４１と、制御部４２と、記憶部４４とを含む。
【００６５】
通信部４１は、診療装置１０に取り付けられたリーダライタ１０ａ、洗浄装置６０に取り付けられたリーダライタ６０ａ、給油装置７０に取り付けられたリーダライタ７０ａ、および滅菌装置８０に取り付けられたリーダライタ８０ａ（以下、これらをまとめて「リーダライタ」とも称する）のそれぞれが備える通信部９１と通信可能である。具体的には、ＲＦＩＤ４０がリーダライタの通信範囲にまで近づくと、ＲＦＩＤ側の通信部４１に含まれるコイル４１ａとリーダライタ側の通信部９１に含まれるコイル９１ａとの間で電磁結合が生じる。リーダライタは、ＲＦＩＤタグ４０との間で生じる電磁結合を利用して、ＲＦＩＤタグ４０に記憶された情報を読み書き可能である。また、パッシブ型のＲＦＩＤタグ４０は、リーダライタとの間で生じる電磁結合によって給電された電力を用いて駆動する。
【００６６】
制御部４２は、通信部４１を介してリーダライタとの間で遣り取りされた情報に基づき、記憶部４４に記憶された情報を更新したり、新たな情報を記憶部４４に記憶させたりする。
【００６７】
ＲＦＩＣチップ４５は、ＲＦＩＤタグ４０に内蔵された報知部４３に接続されている。報知部４３は、ＲＦＩＣチップ４５と電気的に接続されたＬＥＤなどのランプであってもよいし、ＬＥＤ以外のランプであってもよく、また、ＲＦＩＣチップ４５と電気的に接続されたスピーカであってもよい。報知部４３がランプである場合、報知部４３は、メンテナンスエラーが生じた場合に、制御部４２による制御に基づき警告を示す点灯色で点灯または点滅する。また、報知部４３がスピーカである場合、報知部４３は、メンテナンスエラーが生じた場合に、制御部４２による制御に基づき警告を示す警告音を出力する。
【００６８】
報知部４３は、ＲＦＩＣチップ４５から供給される電力によって駆動する。前述したように、ＲＦＩＣチップ４５は、リーダライタとの間の通信で生じる電磁結合によって給電されるため、報知部４３は、通信部４１と診療装置１０などに取り付けられたリーダライタとの通信による電磁結合によって給電される。
【００６９】
[ＲＦＩＤタグの記憶内容]
図４を参照しながら、ＲＦＩＣチップ４５の記憶部４４に記憶された情報について説明する。記憶部４４に記憶された情報には、識別番号と、設置日と、管理番号と、術者番号と、患者番号と、警告フラグと、管理フラグと、洗浄時間と、給油時間と、滅菌時間と、洗浄回数と、給油回数と、滅菌回数とが含まれる。
【００７０】
識別番号は、ＲＦＩＤタグ４０が取り付けられた診療器具４に対して割り当てられた固有のシリアル番号など、診療器具４を識別するための識別情報である。たとえば、図４の例では、シリアル番号などの識別番号である“Ｌ１０２Ｇ１２３４５Ｋ”を特定可能な識別情報として、「Ｌ１０２Ｇ１２３４５Ｋ−」が記憶部４４に記憶されている。ＲＦＩＤタグ４０に識別番号を記憶させておくことで、診療器具４を個別に管理することができる。
【００７１】
設置日は、診療器具４の使用が開始された日または診療器具４が製造された日などを特定するための日付情報である。たとえば、図４の例では、設置日である“２０１８年１月２２日”を特定可能な日付情報として、「１８０１２２−１」が記憶部４４に記憶されている。ＲＦＩＤタグ４０に設置日を記憶させておくことで、診療器具４の使用期間および残りの保証期間などを管理することができる。
【００７２】
管理番号は、識別番号とは別に歯科医院内や病院内などで診療器具４を個別に管理するために診療器具４に対して割り当てられた識別情報である。たとえば、図４の例では、管理番号である“Ｋ０１０”を特定可能な識別情報として、「Ｋ０１０」が記憶部４４に記憶されている。ＲＦＩＤタグ４０に管理番号を記憶させておくことで、診療器具４を限られた範囲内で個別に管理することができる。
【００７３】
術者番号は、診療器具４を使用する術者を識別するための識別情報である。たとえば、各術者に対して「Ａ」〜「Ｚ」のうちのいずれかの術者番号が割り当てられており、図４の例では、術者番号として「Ｃ」を特定可能な識別情報が記憶部４４に記憶されている。
【００７４】
患者番号は、診療器具４を使用した治療が行われる患者を識別するための識別情報である。たとえば、各患者に対して「００１」〜「９９９」のうちのいずれかの患者番号が割り当てられており、図４の例では、患者番号として「２３０」を特定可能な識別情報が記憶部４４に記憶されている。
【００７５】
警告フラグは、メンテナンスエラーの有無を特定可能なフラグである。たとえば、メンテナンスエラーがない場合には警告フラグとして「０」が割り当てられ、メンテナンスエラーがある場合には警告フラグとして「１」が割り当てられている。図４の例では、警告フラグとして、メンテナンスエラーがない旨を示す「０」が記憶部４４に記憶されている。ＲＦＩＤタグ４０に警告フラグを記憶させておくことで、メンテナンスエラーの有無を管理することができる。
【００７６】
管理フラグは、各工程のメンテナンス処理が行われたか否かを特定可能なフラグであって、予め決められた工程順で複数のメンテナンス処理装置のそれぞれによってメンテナンス処理が行われたか否かを特定可能な態様で記憶部４４に記憶されている。たとえば、洗浄工程、給油工程、および滅菌工程のそれぞれに対して、未処理の場合にはフラグ情報として「０」が割り当てられ、処理済みの場合にはフラグ情報として「１」が割り当てられている。さらに、管理フラグは３桁で構成されており、１桁目に洗浄工程に対応するフラグ情報、２桁目が給油工程に対応するフラグ情報、および３桁目に滅菌工程に対応するフラグ情報が配置されている。
【００７７】
管理フラグにおいては、仮に全ての工程が完了している場合には「１１１」が記憶部４４に記憶され、いずれの工程も完了していない場合には「０００」が記憶部４４に記憶される。図４の例では、管理フラグとして、「１１０」が記憶部４４に記憶されている。すなわち、１桁目は「１」であるため、洗浄処理が済みである旨を特定可能であり、２桁目は「１」であるため、給油処理が済みである旨を特定可能であり、３桁目は「０」であるため、滅菌処理が済みでない旨を特定可能である。ＲＦＩＤタグ４０に管理フラグを記憶させておくことで、各工程のメンテナンス処理が行われたか否か、および予め決められた工程順で複数のメンテナンス処理装置のそれぞれによってメンテナンス処理が行われたか否かを管理することができる。なお、管理フラグは、「特定情報」の一実施形態である。
【００７８】
洗浄時間は、洗浄が行われた時刻を特定するための時間情報である。たとえば、図４の例では、洗浄が行われた時刻である“１２時５０分”を特定可能な時間情報として、「１２５０」が記憶部４４に記憶されている。ＲＦＩＤタグ４０に洗浄時間を記憶させておくことで、洗浄が行われた時刻を管理することができる。
【００７９】
給油時間は、給油が行われた時刻を特定するための時間情報である。たとえば、図４の例では、給油が行われた時刻である“１３時１５分”を特定可能な時間情報として、「１３１５」が記憶部４４に記憶されている。ＲＦＩＤタグ４０に給油時間を記憶させておくことで、給油が行われた時刻を管理することができる。
【００８０】
滅菌時間は、滅菌が行われた時刻を特定するための時間情報である。たとえば、図４の例では、滅菌が行われた時刻である“１３時４０分”を特定可能な時間情報として、「１３４０」が記憶部４４に記憶されている。ＲＦＩＤタグ４０に滅菌時間を記憶させておくことで、滅菌が行われた時刻を管理することができる。
【００８１】
なお、洗浄時間、給油時間、および滅菌時間などの処理時間は、管理フラグと同様に、各工程のメンテナンス処理が行われたか否か、および予め決められた工程順で複数のメンテナンス処理装置のそれぞれによってメンテナンス処理が行われたか否かを管理することができる情報であるため、「特定情報」の一実施形態である。また、処理時間は、時刻に限らず、西暦、日付、および曜日の少なくともいずれかを含んでいてもよい。
【００８２】
洗浄回数は、診療器具４に対して洗浄が行われた総回数を特定するための回数情報である。たとえば、図４の例では、洗浄が行われた回数である“１０５回”を特定可能な回数情報として、「０１０５」が記憶部４４に記憶されている。ＲＦＩＤタグ４０に洗浄回数を記憶させておくことで、洗浄が行われた総回数を管理することができる。
【００８３】
給油回数は、診療器具４に対して給油が行われた総回数を特定するための回数情報である。たとえば、図４の例では、給油が行われた回数である“１０５回”を特定可能な回数情報として、「０１０５」が記憶部４４に記憶されている。ＲＦＩＤタグ４０に給油回数を記憶させておくことで、給油が行われた総回数を管理することができる。
【００８４】
滅菌回数は、診療器具４に対して滅菌が行われた総回数を特定するための回数情報である。たとえば、図４の例では、滅菌が行われた回数である“１０４回”を特定可能な回数情報として、「０１０４」が記憶部４４に記憶されている。ＲＦＩＤタグ４０に滅菌回数を記憶させておくことで、滅菌が行われた総回数を管理することができる。
【００８５】
さらに、記憶部４４には、拡張領域（空き領域）が確保されており、将来的に新たな情報を拡張領域に追加して記憶することも可能である。記憶部４４は、この拡張領域において、様々な情報を格納することが可能である。たとえば、拡張領域は、術者が個別に運用管理するための情報を追加して格納することが可能である。拡張領域に記憶された情報を含めて記憶部４４に記憶された情報は、たとえば、図３に示すリーダライタ１０ａによって読み取られ、コンピュータ１００に接続されたクラウド上のサーバ２００において記憶、管理することができる。このように構成することで、記憶容量の大きなクラウド上のサーバ２００によって、各診療器具４における記憶部４４の情報を、各診療器具４と紐付けて記憶することができるため、万一ＲＦＩＤタグ４０が破損しても、各診療器具４における記憶部４４の情報をバックアップとしてサーバ２００で継承して管理することができる。
【００８６】
図４に示した記憶部４４における記憶情報は、一例であり、その他の情報が記憶されるものであってもよいし、さらに、図４と異なる態様で記憶されていてもよい。
【００８７】
[診療装置の処理]
図５は、本実施の形態に係る診療装置１０が実行する処理を説明するためのフローチャートである。図５に示すように、診療器具４が取り付けられると、診療装置１０は、リーダライタ１０ａによって、ＲＦＩＤ４０の記憶部４４に記憶された情報を読み出す（Ｓ１０１）。なお、診療装置１０は、診療器具４が取り付けられなくても、術者によって診療器具４がリーダライタ１０ａに近づけられることで、ＲＦＩＤ４０の記憶部４４に記憶された情報を読み出してもよい。
【００８８】
Ｓ１０１において、診療装置１０は、ＲＦＩＤ４０から設置日を特定可能な日付情報を読み出し、読み出した日付情報をコンピュータ１００に送信する。コンピュータ１００は、受信した日付情報から特定した設置日と、現在の日付とに基づいて、診療器具４の使用期間を特定し、特定した使用期間を記憶する。また、診療装置１０においても、読み出した日付情報から特定した設置日と、現在の日付とに基づいて、診療器具４の使用期間を特定する。なお、診療装置１０は、自ら使用期間を特定するものに限らず、コンピュータ１００から使用期間を取得してもよい。
【００８９】
Ｓ１０１において、診療装置１０は、ＲＦＩＤ４０から洗浄回数、給油回数、および滅菌回数などのメンテナンス処理の処理回数を特定可能な回数情報を読み出し、読み出した回数情報をコンピュータ１００に送信する。コンピュータ１００は、受信した回数情報から特定した処理回数を記憶する。また、診療装置１０においても、読み出した回数情報から処理回数を特定する。
【００９０】
Ｓ１０１において、診療装置１０は、ＲＦＩＤ４０から警告フラグを読み出し、読み出した警告フラグからメンテナンスエラーの有無を特定する。
【００９１】
Ｓ１０１において、診療装置１０は、ＲＦＩＤ４０から管理フラグを読み出し、読み出した管理フラグから、各工程のメンテナンス処理が行われたか否か、および予め決められた工程順で複数のメンテナンス処理装置のそれぞれによってメンテナンス処理が行われたか否かを特定する。
【００９２】
Ｓ１０１において、診療装置１０は、ＲＦＩＤ４０から、洗浄時間、給油時間、および滅菌時間などのメンテナンス処理の処理時間を特定可能な時間情報を読み出し、読み出した処理時間から、各工程のメンテナンス処理が行われたか否か、および予め決められた工程順で複数のメンテナンス処理装置のそれぞれによってメンテナンス処理が行われたか否か、さらに、各工程間の時間間隔が適切であるか否かを特定する。
【００９３】
次に、診療装置１０は、診療器具４の使用期間または処理回数が予め設定された閾値以上であるか否かを判定する（Ｓ１０２）。診療装置１０は、診療器具４の使用期間または処理回数が予め設定された閾値以上である場合（Ｓ１０２でＹＥＳ）、報知部５０ａや表示モニタ６によって部品交換の案内を報知する（Ｓ１０３）。つまり、取り付けられた診療器具４の使用期間がメーカが推奨する限界の使用期間を超えた場合、または取り付けられた診療器具４の使用回数がメーカが推奨する限界の使用回数を超えた場合、診療装置１０は、部品交換を術者に促す。たとえば、診療装置１０は、部品交換の案内を示す画像を表示モニタ６に表示させたり、部品交換の案内を示す音を報知部５０ａであるスピーカから出力させたり、部品交換の案内を示す光を報知部５０ａであるＬＥＤから発したりする。その後、診療器具４は治療に用いられることなく、取り外される。
【００９４】
診療装置１０は、診療器具４の使用期間または処理回数が予め設定された閾値以上でない場合（Ｓ１０２でＮＯ）、警告フラグが「０」であるか否かを判定する（Ｓ１０４）。つまり、診療装置１０は、メンテナンスにおける全ての工程が順番通りに完了したか否かを判定する。さらに、診療装置１０は、洗浄時間、給油時間、および滅菌時間などの処理時間が適切か否かを判定する。つまり、診療装置１０は、洗浄工程と給油工程との間の間隔、給油工程と滅菌工程との間隔、および滅菌工程と現在の時刻との間隔のそれぞれが、予め設定された閾値を超えているか否かを判定する。
【００９５】
診療装置１０は、警告フラグが「０」でない場合（Ｓ１０４でＮＯ）、メンテナンスエラーが生じているため、取り付けられた診療器具４の駆動を禁止する（Ｓ１０５）。そして、診療装置１０は、インスツルメントホルダ５０に設けられた報知部５０ａおよび／または表示モニタ６によって警告を発する（Ｓ１０６）。その後、診療器具４は治療に用いられることなく、取り外される。
【００９６】
一方、診療装置１０は、警告フラグが「０」である場合（Ｓ１０４でＹＥＳ）、メンテナンスエラーが生じていないため、取り付けられた診療器具４の駆動を許可する（Ｓ１０７）。その後、診療装置１０は、リーダライタ１０ａによって、ＲＦＩＤ４０の記憶部４４に記憶された管理フラグおよび処理時間を初期化する（Ｓ１０８）。具体的には、診療装置１０は、記憶部４４に記憶された管理フラグを「０００」に更新する。また、診療装置１０は、洗浄時間、給油時間、および滅菌時間を「００００」に更新する。
【００９７】
なお、診療器具４の使用期間または処理回数が予め設定された閾値以上であるか否かを判定するＳ１０２の判定処理と、警告フラグが「０」であるか否かを判定するＳ１０４の判定処理とでは、いずれの処理が先に行われてもよい。
【００９８】
また、Ｓ１０７において駆動が許可される場合、診療装置１０は、これから施術に使用される診療器具４が所定の順番通りに洗浄、給油、および滅菌の各工程が完了して使用しても問題なく安全に使用できることを、報知部５０ａおよび／または表示モニタ６によって報知してもよい。この例については、図８を用いて後述する。
【００９９】
また、Ｓ１０８において特定情報が初期化される一方で、洗浄、給油、および滅菌の各工程における処理の総回数などの情報は記憶部４４に記憶され続ける。さらに、診療装置１０における情報収集部１８のメモリ１８ｂにおいても、洗浄、給油、および滅菌の各工程における処理の総回数などの情報が記憶され続ける。なお、メモリ１８ｂは、Ｓ１０８における初期化に関わらず、特定情報の記憶の更新履歴を記憶し続けてもよい。メモリ１８ｂは、記憶部４４に記憶されている情報と同じ情報を記憶してもよいし、さらに記憶部４４から消去された情報も履歴として記憶し続けてもよい。
【０１００】
また、記憶部４４における特定情報の初期化のタイミングは、診療器具４の駆動を契機とするものに限らず、使用後の診療器具４がインスツルメントホルダ５０に戻されてインスツルメントホルダ５０によって診療器具４が保持されたことを契機としてもよいし、その他のことを契機としてもよい。さらに、記憶部４４における特定情報の初期化のタイミングが診療器具４の駆動を契機とする一方で、メモリ１８ｂにおける特定情報の記憶の更新は、使用後の診療器具４がインスツルメントホルダ５０に戻されてインスツルメントホルダ５０によって診療器具４が保持されたことを契機としてもよいし、その他のことを契機としてもよい。
【０１０１】
そして、診療装置１０は、術者の操作に基づき診療器具４を駆動する（Ｓ１０９）。診療器具４の駆動情報は、コンピュータ１００に記憶される。その後、治療に用いられた診療器具４は、取り外されてメンテナンス処理が行われる。
【０１０２】
[メンテナンス処理装置によるメンテナンス処理]
図６は、本実施の形態に係る各メンテナンス処理装置が実行するメンテナンス処理を説明するためのフローチャートである。
【０１０３】
まず、洗浄装置６０におけるメンテナンス処理を説明する。診療装置１０で使用された診療器具４が取り外されてチャンバ内に設置されると、洗浄装置６０は、リーダライタ６０ａによって、ＲＦＩＤ４０の記憶部４４に記憶された情報を読み出す（Ｓ６０１）。なお、洗浄装置６０は、診療器具４が設置されなくても、術者によって診療器具４がリーダライタ６０ａに近づけられることで、ＲＦＩＤ４０の記憶部４４に記憶された情報を読み出してもよい。Ｓ６０１において、洗浄装置６０は、ＲＦＩＤ４０から、管理フラグ、処理時間、および洗浄回数を読み出す。
【０１０４】
洗浄装置６０は、リーダライタ１０ａによって、ＲＦＩＤ４０の記憶部４４に記憶された管理フラグ、洗浄時間、および洗浄回数を更新する（Ｓ６０２）。具体的には、洗浄装置６０は、記憶部４４に記憶された管理フラグを「１００」に更新する。これにより、洗浄が行われていることが管理フラグから特定可能となる。また、洗浄装置６０は、記憶部４４に記憶された洗浄時間を、現在の時刻となるように更新する。これにより、洗浄が完了していること、および洗浄が行われる時間が時間情報から特定可能となる。さらに、洗浄装置６０は、記憶部４４に記憶された洗浄回数に１を加算する。これにより、洗浄回数が回数情報から特定可能となる。更新後の管理フラグ、洗浄時間、および洗浄回数は、洗浄装置６０からコンピュータ１００に送信され、コンピュータ１００において洗浄情報として記憶される。
【０１０５】
そして、洗浄装置６０は、診療器具４を洗浄する（Ｓ６０３）。その後、洗浄された診療器具４は、次工程の給油のために給油装置７０に設置される。
【０１０６】
次に、給油装置７０におけるメンテナンス処理を説明する。診療装置１０で使用された診療器具４がチャンバ内に設置されると、給油装置７０は、リーダライタ７０ａによって、ＲＦＩＤ４０の記憶部４４に記憶された情報を読み出す（Ｓ７０１）。なお、給油装置７０は、診療器具４が設置されなくても、術者によって診療器具４がリーダライタ７０ａに近づけられることで、ＲＦＩＤ４０の記憶部４４に記憶された情報を読み出してもよい。Ｓ７０１において、洗浄装置６０は、ＲＦＩＤ４０から、管理フラグ、処理時間、および給油回数を読み出す。
【０１０７】
給油装置７０は、メンテナンスにおける前工程（洗浄工程）が順番通りに完了したか否かを判定する（Ｓ７０２）。つまり、給油装置７０は、読み出した管理フラグおよび処理時間の少なくともいずれかに基づき、予め決められた工程順で複数のメンテナンス処理装置のそれぞれによってメンテナンス処理が行われたか否かを判定する。たとえば、管理フラグが「１００」であれば洗浄が既に行われているが、管理フラグが「０００」であれば洗浄が未だ行われていない。また、洗浄時間に何らかの時間が格納されていれば洗浄が既に行われているが、洗浄時間が「００００」であれば洗浄が未だ行われていない。
【０１０８】
給油装置７０は、メンテナンスにおける前工程（洗浄工程）が順番通りに完了していない場合（Ｓ７０２でＮＯ）、メンテナンスエラーが生じているため、警告フラグを「１」に更新する（Ｓ７０３）。これにより、仮にこの状態で診療器具４が診療装置１０に取り付けられると、診療装置１０によって、図５のＳ１０４でＮＯと判定されて、診療器具４の駆動が禁止され（Ｓ１０５）、かつ警告が発生する（１０６）。さらに、警告フラグが「１」になると、ＲＦＩＤタグ４０に内蔵された報知部４３によっても警告が発生するなどの報知が行われる。
【０１０９】
その後、給油装置７０は、メンテナンスエラーが生じているため、診療器具４の給油を禁止し（Ｓ７０４）、警告を発する（Ｓ７０５）。
【０１１０】
一方、給油装置７０は、メンテナンスにおける前工程（洗浄工程）が順番通りに完了している場合（Ｓ７０２でＹＥＳ）、リーダライタ７０ａによって、ＲＦＩＤ４０の記憶部４４に記憶された管理フラグ、給油時間、および給油回数を更新する（Ｓ７０６）。具体的には、給油装置７０は、記憶部４４に記憶された管理フラグを「１１０」に更新する。これにより、給油が行われていることが管理フラグから特定可能となる。また、給油装置７０は、記憶部４４に記憶された給油時間を、現在の時刻となるように更新する。これにより、給油が完了していること、および給油が行われる時間が時間情報から特定可能となる。さらに、給油装置７０は、記憶部４４に記憶された給油回数に１を加算する。これにより、給油回数が回数情報から特定可能となる。更新後の管理フラグ、給油時間、および給油回数は、給油装置７０からコンピュータ１００に送信され、コンピュータ１００において給油情報として記憶される。
【０１１１】
そして、給油装置７０は、診療器具４を給油する（Ｓ７０７）。その後、給油された診療器具４は、次工程の滅菌のために滅菌装置８０に設置される。
【０１１２】
次に、滅菌装置８０におけるメンテナンス処理を説明する。診療装置１０で使用された診療器具４がチャンバ内に設置されると、滅菌装置８０は、リーダライタ８０ａによって、ＲＦＩＤ４０の記憶部４４に記憶された情報を読み出す（Ｓ８０１）。なお、滅菌装置８０は、診療器具４が設置されなくても、術者によって診療器具４がリーダライタ８０ａに近づけられることで、ＲＦＩＤ４０の記憶部４４に記憶された情報を読み出してもよい。Ｓ８０１において、滅菌装置８０は、ＲＦＩＤ４０から、管理フラグ、処理時間、および滅菌回数を読み出す。
【０１１３】
滅菌装置８０は、メンテナンスにおける前工程（洗浄工程および給油工程）が順番通りに完了したか否かを判定する（Ｓ８０２）。つまり、滅菌装置８０は、読み出した管理フラグおよび処理時間の少なくともいずれかに基づき、予め決められた工程順で複数のメンテナンス処理装置のそれぞれによってメンテナンス処理が行われたか否かを判定する。たとえば、管理フラグが「１１０」であれば洗浄および給油が既に行われているが、管理フラグが「０００」であれば洗浄および給油のいずれもが未だ行われておらず、また、管理フラグが「１００」であれば洗浄が既に行われているが給油が未だ行われていない。また、洗浄時間および給油時間に何らかの時間が格納されていれば洗浄および給油が既に行われているが、洗浄時間が「００００」であれば洗浄が未だ行われておらず、給油時間が「００００」であれば給油が未だ行われていない。
【０１１４】
滅菌装置８０は、メンテナンスにおける前工程（洗浄工程および給油工程）が順番通りに完了していない場合（Ｓ８０２でＮＯ）、メンテナンスエラーが生じているため、警告フラグを「１」に更新する（Ｓ８０３）。これにより、仮にこの状態で診療器具４が診療装置１０に取り付けられると、診療装置１０によって、図５のＳ１０４でＮＯと判定されて、診療器具４の駆動が禁止され（Ｓ１０５）、かつ警告が発生する（１０６）。さらに、警告フラグが「１」になると、ＲＦＩＤタグ４０に内蔵された報知部４３によっても警告が発生するなどの報知が行われる。
【０１１５】
その後、滅菌装置８０は、メンテナンスエラーが生じているため、診療器具４の滅菌を禁止し（Ｓ８０４）、警告を発する（Ｓ８０５）。
【０１１６】
一方、滅菌装置８０は、メンテナンスにおける前工程（洗浄工程および給油工程）が順番通りに完了している場合（Ｓ８０２でＹＥＳ）、リーダライタ８０ａによって、ＲＦＩＤ４０の記憶部４４に記憶された管理フラグ、滅菌時間、および滅菌回数を更新する（Ｓ８０６）。具体的には、滅菌装置８０は、記憶部４４に記憶された管理フラグを「１１１」に更新する。これにより、滅菌が行われていることが管理フラグから特定可能となる。また、滅菌装置８０は、記憶部４４に記憶された滅菌時間を、現在の時刻となるように更新する。これにより、滅菌が完了していること、および滅菌が行われる時間が時間情報から特定可能となる。さらに、滅菌装置８０は、記憶部４４に記憶された滅菌回数に１を加算する。これにより、滅菌回数が回数情報から特定可能となる。更新後の管理フラグ、滅菌時間、および滅菌回数は、滅菌装置８０からコンピュータ１００に送信され、コンピュータ１００において滅菌情報として記憶される。
【０１１７】
そして、滅菌装置８０は、診療器具４を滅菌する（Ｓ８０７）。その後、滅菌された診療器具４は、保管され、診療時に診療装置１０に取り付けられる。
【０１１８】
[コンピュータにおける管理]
図６に示したように、コンピュータ１００には、使用期間、処理回数、洗浄情報、給油情報、滅菌情報、および駆動情報などの複数種類の情報が記憶される。たとえば、コンピュータ１００においては、これらの情報を管理テーブルに格納した状態で管理する。図７は、本実施の形態に係るコンピュータ１００が記憶する管理テーブルを説明するための概略図である。
【０１１９】
図７に示すように、管理テーブルには、診療器具４ごとに、シリアル番号、ステータス、使用期間、残り保証期間、洗浄回数、給油回数、滅菌回数、および点検までの残り使用回数などの情報が格納されている。シリアル番号は、診療器具４の識別番号である。ステータスは、診療器具４の現在の状態を示す情報であり、洗浄済み、給油済み、滅菌済み、および診療装置接続などを特定可能である。使用期間は、診療器具４が使用されている期間であり、診療器具４の設置日と現在の日付とから算出される。残り保証期間は、保証期間（この例では３６５日）に至るまでの残り期間であり、使用期間と保証期間とから特定される。洗浄回数は、洗浄工程において診療器具４に対して洗浄が行われた回数である。給油回数は、給油工程において診療器具４に対して給油が行われた回数である。滅菌回数は、滅菌工程において診療器具４に対して滅菌が行われた回数である。点検までの残り使用回数は、推奨使用回数（この例では１００回）ごとに推奨される点検までの残り使用回数であり、滅菌回数と推奨使用回数とから算出される。
【０１２０】
上述したように、コンピュータ１００には、ＲＦＩＤ４０から取得した情報に基づいて、診療器具４をメンテナンスするための情報が記憶されている。これにより、術者またはサービスマンは、診療器具４のメンテナンスなどを容易に管理することができる。また、術者またはサービスマンは、各診療器具４の稼働状況や使用履歴なども管理することができるため、診療器具４の補充などを検討し易くなる。さらに、コンピュータ１００が複数の診療装置１０と通信可能に接続され、各診療装置１０で用いられる診療器具４について管理テーブルを用いて管理するものであれば、各診療装置１０で用いられる診療器具４のメンテナンスについて一括管理することができる。
【０１２１】
[ＲＦＩＤタグの他の応用]
図４に示したように、ＲＦＩＤタグ４０には、診療器具４を使用した治療が行われる患者を識別するための患者番号が記憶されている。そこで、メンテナンス処理装置は、ＲＦＩＤタグ４０に記憶された患者番号を利用して、患者に合わせたメンテナンスを行うものであってもよい。具体的には、図５に示すように、サーバ２００に患者情報として患者ごとのカルテなどの情報を記憶しておき、滅菌装置８０がリーダライタ８０ａによってＲＦＩＤタグ４０に記憶された患者番号を読み出したときに、サーバ２００に記憶された患者番号に対応するカルテに基づいて、患者が肝炎などの感染症の疑いのあると判断した場合には、通常よりも入念（たとえば、時間または回数を増やすなど）に診療器具４の滅菌を行ってもよい。なお、サーバ２００に患者情報を予め記憶するものに限らず、コンピュータ１００または滅菌装置８０に患者情報を予め記憶するものであってもよい。
【０１２２】
図４に示したように、ＲＦＩＤタグ４０には、診療器具４を使用する術者を識別するための術者番号が記憶されている。そこで、診療装置１０は、ＲＦＩＤタグ４０に記憶された術者番号を利用して、術者好みの設定に、診療装置１０および診療器具４の設定を自動的に更新するものであってもよい。具体的には、図５に示すように、サーバ２００に術者情報として術者ごとの設定内容を記憶しておき、診療装置１０がリーダライタ１０ａによってＲＦＩＤタグ４０に記憶された術者番号を読み出したときに、サーバ２００に記憶された術者番号に対応する設定内容となるように、診療装置１０および診療器具４の設定を自動的に更新してもよい。なお、サーバ２００に術者ごとの設定内容を予め記憶するものに限らず、コンピュータ１００または診療装置１０に術者ごとの設定内容を予め記憶するものであってもよい。診療器具４の設定内容としては、診療器具４が根管治療用のモータハンドピースであれば、回転数、設定位置に切削工具が達したときに切削工具の回転方向を反転させる機能（オートアピカルリバース）における設定位置、および切削工具のトルク値が基準値に達したときに切削工具の回転方向を反転させる機能（オートトルクリバース）におけるトルク値などが挙げられる。
【０１２３】
[本実施の形態の主な内容]
図４に示すように、ＲＦＩＤタグ４０の記憶部４４には、予め決められた工程順で複数のメンテナンス処理装置のそれぞれによってメンテナンス処理が行われたか否かを特定可能な態様で管理フラグが記憶されている。また、ＲＦＩＤタグ４０の記憶部４４には、予め決められた工程順で複数のメンテナンス処理装置のそれぞれによってメンテナンス処理が行われたか否かを特定可能な態様で、洗浄時間、給油時間、滅菌時間などの処理時間が記憶されている。これにより、診療装置１０、洗浄装置６０、給油装置７０、および滅菌装置８０のそれぞれでリーダライタによってＲＦＩＤタグ４０の記憶情報を読み取ることで、メンテナンスエラーの有無を容易に判断することができる。
【０１２４】
また、本実施の形態においては、診療装置１０および各メンテナンス処理装置がともにコンピュータ１００に接続されているが、診療装置１０および各メンテナンス処理装置は互いに独立していてもよい。このような場合であっても、診療装置１０および各メンテナンス処理装置は、診療器具４に取り付けられたＲＦＩＤタグ４０の記憶情報に基づいて、診療装置１０および各メンテナンス処理装置においてメンテナンスエラーの有無を容易に判断することができる。
【０１２５】
ＲＦＩＤタグ４０は、警告フラグによってメンテナンスエラーがあると判断すると、報知部４３によって警告を発するなどの報知を行う。これにより、予め決められた工程順で複数のメンテナンス処理装置のそれぞれによってメンテナンス処理が行われなかった場合に、診療器具４に取り付けられたＲＦＩＤタグ４０から発せられる警告によって、術者などの周囲に異常を知らせることができる。
【０１２６】
図５のＳ１０８に示すように、診療装置１０は、診療器具４が駆動したときに管理フラグおよび処理時間を初期化する。あるいは、診療装置１０は、使用後の診療器具４がインスツルメントホルダ５０によって保持されたときに管理フラグおよび処理時間を初期化する。これにより、診療器具４を用いて診療を行った後においては、ＲＦＩＤタグ４０に記憶された管理フラグおよび処理時間に基づき滅菌などのメンテナンス処理が行われていないことが特定可能となる。このため、診療器具４の使用後において、滅菌などのメンテナンス処理を確実に術者に促すことができる。
【０１２７】
図６に示すように、給油装置７０は、リーダライタ７０ａによって読み取られたＲＦＩＤタグ４０に記憶された管理フラグおよび処理時間に基づき、メンテナンスエラーがあると判断した場合に、給油を禁止し、かつ警告を発する。これにより、たとえば、洗浄工程がスキップされた状態で給油が行われようとした場合であっても、そのまま給油が行われてしまうことがなく、さらに、警告によって術者などの周囲に異常を知らせることができる。
【０１２８】
図６に示すように、滅菌装置８０は、リーダライタ８０ａによって読み取られたＲＦＩＤタグ４０に記憶された管理フラグおよび処理時間に基づき、メンテナンスエラーがあると判断した場合に、滅菌を禁止し、かつ警告を発する。これにより、たとえば、洗浄工程および給油工程のいずれかがスキップされた状態で滅菌が行われようとした場合であっても、そのまま滅菌が行われてしまうことがなく、さらに、警告によって術者などの周囲に異常を知らせることができる。
【０１２９】
図５に示すように、診療装置１０は、リーダライタ1０ａによって読み取られたＲＦＩＤタグ４０に記憶された警告フラグに基づき、メンテナンスエラーがあると判断した場合に、診療器具４の駆動を禁止し、かつ警告を発する。これにより、たとえば、洗浄工程、給油工程、および滅菌工程のいずれかがスキップされた状態で診療器具４が使用されようとした場合であっても、診療器具４が駆動されてしまうことがなく、さらに、警告によって術者などの周囲に異常を知らせることができる。さらに、警告は、インスツルメントホルダ５０の報知部５０ａによって報知されるため、たとえば、インスツルメントホルダ５０付近にリーダライタ１０ａを設けた場合には、インスツルメントホルダ５０に診療器具４を取り付けたときにインスツルメントホルダ５０によって分かり易く異常を知らせることができる。また、警告は、表示モニタ６における画像表示でも行われるため、術者などの周囲に分かり易く異常を知らせることができる。
【０１３０】
［変形例］
本発明は、上記の実施例に限られず、さらに種々の変形、応用が可能である。以下、本発明に適用可能な変形例について説明する。
【０１３１】
本実施の形態においては、診療装置１０が図５に示す処理を実行するものとしたが、図８に示す処理を実行するものであってもよい。図８は、変形例に係る診療装置１０ｂが実行する処理を説明するためのフローチャートである。
【０１３２】
図８に示すように、診療器具４が取り付けられると、診療装置１０ｂは、リーダライタ１０ａによって、ＲＦＩＤ４０の記憶部４４に記憶された情報を読み出す（Ｓ１５１）。なお、診療装置１０は、診療器具４が取り付けられなくても、術者によって診療器具４がリーダライタ１０ａに近づけられることで、ＲＦＩＤ４０の記憶部４４に記憶された情報を読み出してもよい。
【０１３３】
Ｓ１５１において、診療装置１０ｂは、ＲＦＩＤ４０から設置日を特定可能な日付情報を読み出し、読み出した日付情報をコンピュータ１００に送信する。コンピュータ１００は、受信した日付情報から特定した設置日と、現在の日付とに基づいて、診療器具４の使用期間を特定し、特定した使用期間を記憶する。また、診療装置１０ｂにおいても、読み出した日付情報から特定した設置日と、現在の日付とに基づいて、診療器具４の使用期間を特定する。なお、診療装置１０ｂは、自ら使用期間を特定するものに限らず、コンピュータ１００から使用期間を取得してもよい。
【０１３４】
Ｓ１５１において、診療装置１０ｂは、ＲＦＩＤ４０から洗浄回数、給油回数、および滅菌回数などの処理回数を特定可能な回数情報を読み出し、読み出した回数情報をコンピュータ１００に送信する。コンピュータ１００は、受信した回数情報から特定した処理回数を記憶する。また、診療装置１０ｂにおいても、読み出した回数情報から処理回数を特定する。
【０１３５】
Ｓ１５１において、診療装置１０ｂは、ＲＦＩＤ４０から警告フラグを読み出し、読み出した警告フラグからメンテナンスエラーの有無を特定する。
【０１３６】
Ｓ１５１において、診療装置１０ｂは、ＲＦＩＤ４０から管理フラグを読み出し、読み出した管理フラグから、各工程のメンテナンス処理が行われたか否か、および予め決められた工程順で複数の処理装置のそれぞれによってメンテナンス処理が行われたか否かを特定する。
【０１３７】
Ｓ１５１において、診療装置１０ｂは、ＲＦＩＤ４０から、洗浄時間、給油時間、および滅菌時間などの処理時間を特定可能な時間情報を読み出し、読み出した処理時間から、各工程のメンテナンス処理が行われたか否か、および予め決められた工程順で複数の処理装置のそれぞれによってメンテナンス処理が行われたか否か、さらに、各工程間の時間間隔が適切であるか否かを特定する。
【０１３８】
次に、診療装置１０ｂは、診療器具４の使用期間または処理回数が予め設定された閾値以上であるか否かを判定する（Ｓ１５２）。診療装置１０ｂは、診療器具４の使用期間または処理回数が予め設定された閾値以上である場合（Ｓ１５２でＹＥＳ）、報知部５０ａや表示モニタ６によって部品交換の案内を報知する（Ｓ１５３）。つまり、取り付けられた診療器具４の使用期間がメーカが推奨する限界の使用期間を超えた場合、または取り付けられた診療器具４の使用回数がメーカが推奨する限界の使用回数を超えた場合、診療装置１０ｂは、部品交換を術者に促す。たとえば、診療装置１０ｂは、部品交換の案内を示す画像を表示モニタ６に表示させたり、部品交換の案内を示す音を報知部５０ａであるスピーカから出力させたり、部品交換の案内を示す光を報知部５０ａであるＬＥＤから発したりする。その後、診療器具４は治療に用いられることなく、取り外される。
【０１３９】
診療装置１０ｂは、診療器具４の使用期間または処理回数が予め設定された閾値以上でない場合（Ｓ１５２でＮＯ）、警告フラグが「０」であるか否かを判定する（Ｓ１５４）。つまり、診療装置１０ｂは、メンテナンスにおける全ての工程が順番通りに完了したか否かを判定する。さらに、診療装置１０ｂは、洗浄時間、給油時間、および滅菌時間などの処理時間が適切か否かを判定する。つまり、診療装置１０ｂは、洗浄工程と給油工程との間の間隔、給油工程と滅菌工程との間隔、および滅菌工程と現在の時刻との間隔のそれぞれが、予め設定された閾値を超えているか否かを判定する。
【０１４０】
診療装置１０ｂは、警告フラグが「０」でない場合（Ｓ１５４でＮＯ）、メンテナンスエラーが生じているため、インスツルメントホルダ５０に設けられた報知部５０ａや表示モニタ６によって警告を発する（Ｓ１５５）。その後、診療装置１０ｂは、診療器具４の取り出しを検出したか、または診療器具４の駆動信号を検出したかを判定する（Ｓ１５６）。診療装置１０ｂは、診療器具４の取り出しおよび駆動信号のいずれも検出しない場合（Ｓ１５６でＮＯ）、Ｓ１５５の処理を繰り返して警告を発する。一方、診療装置１０ｂは、診療器具４の取り出しおよび駆動信号のいずれかを検出した場合（Ｓ１５６でＹＥＳ）、取り出しおよび駆動信号が検出された診療器具４の駆動を禁止する（Ｓ１５７）。その後、診療器具４は治療に用いられることなく、取り外される。
【０１４１】
一方、診療装置１０ｂは、警告フラグが「０」である場合（Ｓ１５４でＹＥＳ）、使用可能な診療器具が取り付けられたことを報知する（Ｓ１５８）。具体的には、診療装置１０ｂは、これから施術に使用される診療器具４が所定の順番通りに洗浄、給油、および滅菌の各工程が完了して使用しても問題なく安全に使用できることを、報知部５０ａや表示モニタ６によって報知する。
【０１４２】
次に、診療装置１０ｂは、診療器具４の駆動信号を検出したかを判定する（Ｓ１５９）。診療装置１０ｂは、診療器具の駆動信号を検出しない場合（Ｓ１５９でＮＯ）、Ｓ１５９の処理を繰り返す。一方、診療装置１０ｂは、診療器具の駆動信号を検出した場合（Ｓ１５９でＹＥＳ）、駆動信号を検出した診療器具４の駆動を許可する（Ｓ１６０）。そして、診療装置１０は、診療器具４を駆動する（Ｓ１６１）。診療器具４の駆動情報は、コンピュータ１００に記憶される。
【０１４３】
その後、診療装置１０ｂは、リーダライタ１０ａによって、ＲＦＩＤ４０の記憶部４４に記憶された管理フラグおよび処理時間を初期化する（Ｓ１６２）。具体的には、診療装置１０は、記憶部４４に記憶された管理フラグを「０００」に更新する。また、診療装置１０は、洗浄時間、給油時間、および滅菌時間を「００００」に更新する。
【０１４４】
なお、診療器具４の使用期間または処理回数が予め設定された閾値以上であるか否かを判定するＳ１５２の判定処理と、警告フラグが「０」であるか否かを判定するＳ１５４の判定処理とでは、いずれの処理が先に行われてもよい。
【０１４５】
また、Ｓ１６２において特定情報が初期化される一方で、洗浄、給油、および滅菌の各工程におけるメンテナンス処理の総回数などの情報は記憶部４４に記憶され続ける。さらに、診療装置１０ｂにおける情報収集部１８のメモリ１８ｂにおいても、洗浄、給油、および滅菌の各工程におけるメンテナンス処理の総回数などの情報が記憶され続ける。なお、メモリ１８ｂは、Ｓ１０８における初期化に関わらず、特定情報の記憶の更新履歴を記憶し続けてもよい。メモリ１８ｂは、記憶部４４に記憶されている情報と同じ情報を記憶してもよいし、さらに記憶部４４から消去された情報も履歴として記憶し続けてもよい。
【０１４６】
また、記憶部４４における特定情報の初期化のタイミングは、診療器具４の駆動を契機とするものに限らず、使用後の診療器具４がインスツルメントホルダ５０に戻されてインスツルメントホルダ５０によって診療器具４が保持されたことを契機としてもよいし、その他のことを契機としてもよい。さらに、記憶部４４における特定情報の初期化のタイミングが診療器具４の駆動を契機とする一方で、メモリ１８ｂにおける特定情報の記憶の更新は、使用後の診療器具４がインスツルメントホルダ５０に戻されてインスツルメントホルダ５０によって診療器具４が保持されたことを契機としてもよいし、その他のことを契機としてもよい。
【０１４７】
そして、診療装置１０ｂは、診療が完了したか否かを判定する（Ｓ１６３）。診療装置１０ｂは、診療が完了していない場合（Ｓ１６３でＮＯ）、Ｓ１６３の処理を繰り返す。一方、診療装置１０ｂは、診療が完了した場合（Ｓ１６３でＹＥＳ）、診療器具４を取り外す案内を報知部５０ａおよび表示モニタ６によって報知する（Ｓ１６４）。その後、治療に用いられた診療器具４は、取り外されてメンテナンス処理が行われる。
【０１４８】
このように、変形例に係る診療装置１０ｂは、Ｓ１５２で診療器具４の使用期間または処理回数が予め設定された閾値以上でないと判定し、かつＳ１５４で警告フラグが「０」であると判定した場合、メンテナンスエラーが生じていないものとする。そして、診療装置１０ｂは、Ｓ１５８において、これから施術に使用される診療器具４が所定の順番通りに洗浄、給油、および滅菌の各工程が完了して使用しても問題なく安全に使用できることを、報知部５０ａや表示モニタ６によって報知する。これにより、これから施術に使用する診療器具４が既にメンテナンス処理済みで安全であることを、術者が容易に確認することができる。
【０１４９】
なお、サーバ２００は院内に設置されたサーバであってもよく、この場合において、図８に示すように、サーバ２００がクラウド上のサーバ３００と通信可能であってもよい。たとえば、院内には複数の診療装置が設置され、各診療装置がコンピュータ１００を備え、各診療装置のコンピュータ１００が院内のサーバ２００に接続される構成であってもよい。そして、このように構成された複数の医院における各サーバ２００がクラウド上のサーバ３００と通信可能に構成されてもよい。クラウド上のサーバ３００は、複数の医院で収集された患者情報、術者情報、使用期間、処理回数、洗浄情報、給油情報、滅菌情報、および駆動情報などの様々な情報を集約し、ビッグデータとして記憶してもよい。このようなビッグデータを用いることで、複数の医院間においてメンテナンス情報の共有や消耗品の発注などを行うことができ、メンテナンスの管理が容易になり、メンテナンスに関するデータも分析することができる。
【０１５０】
上述した実施形態においては、メンテナンス処理が、洗浄、給油、および滅菌であり、各メンテナンス処理が、洗浄装置６０、給油装置７０、および滅菌装置８０のそれぞれによって個別に行われるものであった。しかしながら、これらのメンテナンス処理のうちの複数のメンテナンス処理が一つの装置でまとめて行われてもよい。たとえば、洗浄と給油については、術者または補助者が手作業で行ってもよいため、洗浄および給油のうちの少なくともいずれか一つと、滅菌とが、同じ装置によって行われてもよい。
【０１５１】
本実施形態においては、診療装置１０は、警告フラグに基づき、メンテナンスエラーの有無を判断するものであったが、リーダライタ1０ａによって読み取られたＲＦＩＤタグ４０に記憶された管理フラグおよび処理時間に基づき、メンテナンスエラーの有無を判断するものであってもよい。
【０１５２】
本実施形態においては、診療装置１０およびメンテナンス処理装置は、ＲＦＩＤタグ４０に記憶された管理フラグおよび処理時間の両方に基づき、メンテナンスエラーの有無を判断するものであったが、これに限らない。たとえば、メンテナンス処理装置および診療装置１０は、ＲＦＩＤタグ４０に記憶された管理フラグのみに基づき、メンテナンスエラーの有無を判断するものであってもよいし、ＲＦＩＤタグ４０に記憶された処理時間のみに基づき、メンテナンスエラーの有無を判断するものであってもよい。
【０１５３】
また、予め決められた工程順で複数のメンテナンス処理装置のそれぞれによって診療器具４に対してメンテナンス処理が行われたか否かを特定可能な態様でＲＦＩＤタグ４０に記憶されるものであれば、各装置は、いずれの情報を用いてメンテナンスエラーの有無を判断してもよい。
【０１５４】
本実施形態においては、術者好みの設定を行うための情報として、術者を識別するための術者番号がＲＦＩＤタグ４０に記憶されていたが、記憶情報はこれに限らない。たとえば、診療装置１０または診療器具４の設定内容を識別可能な情報として、各設定内容に応じた設定番号がＲＦＩＤタグ４０に記憶されていてもよい。この場合、診療装置１０がリーダライタ１０ａによってＲＦＩＤタグ４０に記憶された設定番号を読み出したときに、サーバ２００に記憶された設定番号に対応する設定内容となるように、診療装置１０および診療器具４の設定を自動的に更新してもよい。なお、サーバ２００に設定番号ごとの設定内容を予め記憶するものに限らず、コンピュータ１００または診療装置１０に設定番号ごとの設定内容を予め記憶するものであってもよい。
【０１５５】
本実施形態においては、メンテナンス処理装置のうち、給油装置７０および滅菌装置８０が、メンテナンスエラー時にメンテナンス処理を禁止したり、警告を発したりしたが、これに限らない。たとえば、滅菌装置８０のみメンテナンスエラー時にメンテナンス処理を禁止したり、警告を発したりしてもよいし、洗浄装置６０がメンテナンスエラー時にメンテナンス処理を禁止したり、警告を発したりしてもよい。なお、洗浄装置６０においては、メンテナンスにおける前工程が存在しないが、たとえば、エアーの吹き付けによる埃の除去など、洗浄工程の前に行われるべき工程がスキップされた場合に、メンテナンス処理を禁止したり、警告を発したりすればよい。
【０１５６】
本実施の形態においては、図５および図８に示すように、診療装置は、Ｓ１０２やＳ１５２で診療器具４の使用期間および処理回数が閾値以上であるか否かを判定するものであったが、診療器具４の使用回数が閾値以上であるか否かを判定するものであってもよい。この場合において、診療装置は、Ｓ１０９やＳ１６１で診療器具４を駆動するたびに診療器具４の使用回数をカウントし、カウントした使用回数を駆動情報としてコンピュータ１００に記憶させればよい。そして、診療装置は、Ｓ１０２やＳ１５２でコンピュータ１００から取得した駆動情報に基づいて、診療器具４の使用回数を特定すればよい。
【０１５７】
本実施の形態においては、診療器具４を歯科診療用のインスツルメントとして、また、診療装置１０，１０ｂを歯科用診療装置として例示したが、これに限らない。たとえば、診療器具４は、口腔外科用診療器具、耳鼻咽喉科診療器具、産婦人科用診療器具、眼科用診療器具、および外科用診療器具のいずれであってもよい。また、診療装置１０，１０ｂは、口腔外科用診療装置、耳鼻咽喉科用診療装置、産婦人科用診療装置、眼科用診療装置、および外科用診療装置のいずれであってもよい。
【０１５８】
今回開示された実施の形態は全ての点で例示であって制限的なものではないと考えられるべきである。本発明の範囲は上記した説明ではなく特許請求の範囲によって示され、特許請求の範囲と均等の意味および範囲内での全ての変更が含まれることが意図される。なお、本実施の形態で例示された構成および変形例で例示された構成は、適宜組み合わせることができる。
【符号の説明】
【０１５９】
１  診療椅子、１ａ  ヘッドレスト、１ｂ  背もたれ、１ｃ  座面シート、１ｄ  足置き台、２  ベースンユニット、２ａ  鉢、２ｂ  コップ台、２ｃ  給水栓、２ｄ  保守扉、３  トレーテーブル、４，４ａ，４ｂ，４ｃ，４ｄ，４ｅ  診療器具、５  フートコントローラ、６  表示モニタ、７  照明装置、８  操作パネル、９  制御装置、１０  歯科用診療装置、１０ａ，６０ａ，７０ａ，８０ａ  リーダライタ、１１  シート駆動部、１２  診療装置側制御部、１４  診療器具駆動部、１５  表示モニタ制御部、１６  ベースン制御部、１７  照明制御部、１８  情報収集部、１８ａ  出力ポート、１８ｂ  メモリ、１９  取出検出部、４０  ＲＦＩＤタグ、４１，９１  通信部、４１ａ，９１ａ  コイル、４２  制御部、４３  報知部、４４  記憶部、４５  ＲＦＩＣチップ、４８  本体部、５０  インスツルメントホルダ、５０ａ  報知部、６０  洗浄装置、６１，７１，８１  処理部、７０  給油装置、７２，８２  警告制御部、７３，８３  禁止制御部、７５，８５  処理装置側制御部、８０  滅菌装置、１００  コンピュータ、２００  サーバ、１０００  管理システム。
【図１】
2019216997.tif 000003
【図２】
2019216997.tif 000004
【図３】
2019216997.tif 000005
【図４】
2019216997.tif 000006
【図５】
2019216997.tif 000007
【図６】
2019216997.tif 000008
【図７】
2019216997.tif 000009
【図８】
2019216997.tif 000010